(57)【要約】 【課題】 食事用具の柄部について、簡便に曲げることができ、かつ曲げた状態を保持可能であって、自由度の高い変形が可能な食事用具を提供する。      【解決手段】スプーン、フォーク等の食事用具で、掬い、突き刺し、切り分け等、食物に接して作用する作用部と、その作用部に連接する連結部と、その連結部に連接する柄部とからなる食事用具において、前記柄部は一本の部材からなり、前記柄部の端部又は中途部を前記連結部に保持してループを形成し、前記柄部は折り曲げ容易な可撓性を有し、かつ曲げた状態を保持可能な線状材料よりなることを特徴とする。     【選択図】  図１
2011194008.tif 000002
【特許請求の範囲】
【請求項１】
スプーン、フォーク等の食事用具で、掬い、突き刺し、切り分け等、食物に接して作用する作用部と、その作用部に連接する連結部と、その連結部に連接する柄部とからなる食事用具において、前記柄部は一本の部材からなり、前記柄部の端部又は中途部を前記連結部に保持してループを形成し、前記柄部は折り曲げ容易な可撓性を有し、かつ曲げた状態を保持可能な線状材料よりなることを特徴とする食事用具。
【請求項２】
前記柄部は前記線状材料の一部又は全部の周囲を、弾性を有する被覆材料で被覆した表面を形成することを特徴とする請求項１に記載の食事用具。
【請求項３】
前記柄部の表面の一部又は全部に凹凸状部を設けたことを特徴とする請求項１又は２に記載の食事用具。
【請求項４】
前記連結部は前記柄部を着脱可能に保持することを特徴とする請求項１乃至請求項３のいずれか１項に記載の食事用具。
【請求項５】
前記連結部は前記作用部を着脱可能に保持することを特徴とする請求項１乃至請求項４のいずれか１項に記載の食事用具。
【発明の詳細な説明】
【技術分野】
【０００１】
この発明は、上肢に障害を有する人や高齢者、幼児等、食事用具使用に困難を有する人に扱いやすく、また、非障害者にも扱いやすいよう工夫された、スプーン、フォーク等の食事用具に関するものである。
【背景技術】
【０００２】
従来、一般的なスプーン、フォーク等の食事用具は、掬い、切り分け、突き刺し等、食品に接して作用する作用部と、その作用部に連接する連結部と、その連結部に連接する柄部とから構成され、柄部の形状は概ね直線状の細長く扁平な棒状である。
【０００３】
しかし、上肢に障害を有する人や、高齢者、幼児等においては、上述のような、一般的なスプーン、フォーク等の食事用具の使用は困難となりやすい。
ここで、以下、スプーン、フォーク等の食事用具を簡略に食事用具と表現し、上肢に障害を有する人や高齢者、幼児等、食事用具の使用に困難を有する人を、簡略に障害者と表現する。
【０００４】
従来、障害者の食事において、課題とされてきたこととして、食事用具を把持し続けること、および、食事用具の作用部の向きを調節することがあげられる。
食事用具の把持については、把持しやすい柄部の形状が工夫されてきた。また、食事用具の作用部の向きの調節については、掬う等の操作や口元へ運ぶことを行いやすい食事用具の作用部の向きの角度になるよう、柄部や柄部周辺を曲げる工夫がなされてきた。
【０００５】
このような工夫は、従来、食事用具を個人にあわせて加工することによって作成されてきたが、その方法は、非特許文献１に開示されるように、柄部に挿し込み式のスポンジ素材を用いる等の手軽な方法から、柄部に熱可塑性樹脂や石塑粘土をつける、万力で曲げる等、手間がかかる方法も多い。
【０００６】
現在では、障害者に扱いやすく工夫された食事用具が数多く市販品として存在するようになり、市販品から選択することが一般的となっている。また、食事用具の形状を使用者にあわせて簡便に調節できるものも提案されており、その中でも、柄部や柄部周辺を使用者にあわせて曲げることができるものは、食事用具を把持し続けること、および、食事用具の作用部の向きを調節することの両方を支援できる。
【０００７】
例えば、周知されている食事用具として、柄部の材質が形状記憶ポリマーである食事用具があり、加熱により、曲げ加工ができる。あらかじめ成形された柄部は数種類の形状があり、適切なものを選んだ上で、使用者にあわせて変形が可能である（品名：ウィル・ワン等、株式会社青芳製作所）。
【０００８】
特許文献１は、間隔をおいて対向する一対の金属線材を主体に柄部が構成されている。曲げることができるとともに、やや幅のある柄部は握りやすく、握る方向もわかりやすい。特許文献２は、可橈性を有する心材に弾性部材を外装した構成を柄部等に用いている。柄部を折り曲げて角度調節でき、柄部表面は弾性部材により、把持したときフィットしやすいと考えられる。特許文献３は、線状芯材を可橈性材料でくるんだ線材を補助部材として連結固定するものであり、曲げるだけで手や腕への着脱可能で、作用部の向きの角度調整もできるとされる。
【０００９】
これらは、総じて、身体への接触部を増やす食事用具の柄部形状が可能なため、柄部が身体に固定され、把持しやすくなり、また、作用部の向きの角度を調節できるため、操作の困難を補うことができる。
しかし、これら、障害者に扱いやすい食事用具の形状は、非障害者にとってはかえって扱いづらいことが多い。食事用具の形状と把持方法および操作方法は密接に関連しているものであり、使用者にとって適切な組み合わせであることが必要である。
【００１０】
ここで、把握の分類について触れる。非特許文献２に開示されるように、把握の分類において、スプーンの例は中間把握系の三面把握に分類されている。三面把握でスプーンを把持する様子は図２４に示したとおりである。図２４において、スプーンと身体との接触部位を説明すると、第１固定が、中指DIP関節周辺の橈側面８０１すなわち中指の一番指先側の関節周辺の親指側、および示指基節の橈側面８０２すなわち人差し指の付け根の節の親指側、および母指の指腹８０３すなわち親指の指腹であり、これに加え、示指末端８０４すなわち人差し指末端が、スプーンの柄部８０５を支えている。
【００１１】
一方、障害者においては、三面把握で、前述のような一般的な食事用具の柄部形状である、細長く扁平な棒状の柄部を把持することは困難となりやすい。そのため、図２５に示すように、手指８０６と手掌８０７で包み込むような把持方法で、柄部８０８の形状はやや太めの棒状を用いる例が多くみられる。このような、身体との接触部位が手指および手掌で、棒状物体を把握する手の型は、前記の非特許文献２に開示される把握の分類では、握力把握系に相当し、手の中にしっかり物を固定する際に現れる型である。
【先行技術文献】
【特許文献】
【００１２】
【特許文献１】実登３０１２８６３号公報
【特許文献２】実公３１２２７３４号公報
【特許文献３】特開２００５−１７６９５９号公報
【非特許文献】
【００１３】
【非特許文献１】三石京子，石王里美，三石敬之，中島雪彦．スプーンを使用した自助具．作業療法ジャーナル．２００３，３７（３），ｐ．２３３−２３８
【非特許文献２】鎌倉矩子，田中繁．PT・OT学生のための運動学実習〜生体力学から動作学まで〜．三輪書店，１９９４，ｐ．１３３−１３７
【発明の概要】
【発明が解決しようとする課題】
【００１４】
しかし、障害の状況は多様である。太めで円筒形の柄部の形状は、障害者向け食事用具として広く知られているが、三面把握を用いて把持した場合は、人差し指と中指との間隔が広く必要になり、かえって把持しにくい。また、前記の太めで円筒形の柄部を手指と手掌で包み込むようにもつ握力把握にした場合、把持は容易になるが、操作は三面把握の場合と同じ方法では困難であり、肩や肘を大きく動かしたり、手首の動かし方を変更する等の操作方法の工夫が必要となる。操作方法の工夫で対応できない場合は、作用部の向きの角度の変更や、柄部の長さの変更等、さらに食事用具の工夫が必要となりがちである。ところが、新しい食事用具の形状や操作方法に混乱してしまう人も多い。
【００１５】
このような状況は、高齢者等、徐々に機能が低下する人によくみられ、適する食事用具を得ることが困難となっている。障害の状況は変化していくものであり、食事用具は、非障害者にも使用でき、障害を生じても使用していけるものであることが望ましい。そのためには、柄部の形状は、多様に変形可能で、かつ、使用状況にあわせて変形できることが望ましい。
【００１６】
前述した形状記憶ポリマーを用いた柄は、使用者にあう柄部形状を得やすいものであるが、あらかじめ選ぶ柄部の形状によって得られる変形形状も異なるという制限があり、また、形状記憶の性質上、微調整がやや困難である。また、柄部表面に弾性がないという点では、フィット感に欠け、持続した把持に不利である。変形には温度調節が必要で煩雑であり、衛生管理上では、熱湯消毒や食器乾燥機使用等ができない点が不便である。
【００１７】
特許文献１は、対向する線材の間隔は保持されており、変形できる内容は、やや幅広の細長い面を曲げる、捻るというものになる。装着する弾性部材の形状によって、柄部の太さや断面形状を変更することが可能であるが、基本的には１本の棒状の柄部を曲げてできる形状といえる。
【００１８】
特許文献２では、作用部の向きを変えるよう曲げる変形が主であり、柄部の形状は概ね保持したままとなる。特許文献３では、線条心材は補助柄部として、巻きつけての装着と緩めての取り外しを行うことを想定しており、微妙な角度調整等が必要な場合は、装着のたびに調整することになり、煩雑と考えられる。
【００１９】
また、変形可能であるということは、変形する作業にかかる労力や時間も重要である。変形の作業は使用者に仮合わせしての評価と同時進行であり、通常、何度か繰り返すことが多い。時間がかかれば、使用者、作業を行う支援者ともに負担となるため、簡便に調節できることが望ましい。
【００２０】
以上では、食事用具の柄部を中心にとりあげてきた。しかし、食事用具を使った食事動作全体について改めて考えた場合、把持と操作の問題だけでなく、例えば、口中への取り込みにも困難を抱える等、さらに複合した障害の状況が存在し、市販品では対応困難な例も少なくない。前述した、食事用具をさらに加工して個別に作成する方法は、今後も重要といえる。
【００２１】
食事用具を個別に加工して作成する場合、材料となる食事用具の選定は、作用部が使用者に適することを優先して選び、加工は柄部に行う例が多い。これは、作用部の加工は一般には困難という要因もあるが、柄部は適する形状や素材等の個人差が大きいため、個別に加工することによって適する食事用具を得やすい利点がある。
【００２２】
しかし、例えば、柄部に樹脂系や粘土系のグリップ材料をつけて成形する場合、柄部が直線状であると、グリップ材料がずれたり、柄部とグリップ材料との間に隙間ができやすいという問題がある。また、材料となる食事用具の柄部形状と、グリップ材料で作成する形状との差が大きいほど、成形に手間がかかりやすい。また、作用部の向きの角度を変える加工の場合、作成後もさらに角度の微調整が必要になることが多い。そのため、加工しやすさを考慮した食事用具が存在することが望ましい。
【００２３】
また、食事用具の選択や加工において、適する食事用具の詳細を検討するのは容易ではない。作業療法士等の専門職に相談し、候補となる食事用具を試用して決定することが推奨されるが、多種類の食事用具を揃えた環境は限られていることもあり、効率よく、具体的な検討を行える評価用の食事用具が存在することが望ましい。
【課題を解決するための手段】
【００２４】
前述の課題を解決するために、次のような食事用具を発明した。
請求項１の食事用具においては、スプーン、フォーク等の食事用具で、掬い、突き刺し、切り分け等、食物に接して作用する作用部と、その作用部に連接する連結部と、その連結部に連接する柄部とからなる食事用具において、前記柄部は一本の部材からなり、前記柄部の端部又は中途部を前記連結部に保持してループを形成し、前記柄部は折り曲げ容易な可撓性を有し、かつ曲げた状態を保持可能な線状材料よりなることを特徴とする食事用具である。
【００２５】
請求項２の食事用具においては、前記柄部は前記線状材料の一部又は全部の周囲を、弾性を有する被覆材料で被覆した表面を形成することを特徴とする請求項１に記載の食事用具である。
【００２６】
請求項３の食事用具においては、前記柄部の表面の一部又は全部に凹凸状部を設けたことを特徴とする請求項１又は２に記載の食事用具である。
【００２７】
請求項４の食事用具においては、前記連結部は前記柄部を着脱可能に保持することを特徴とする請求項１乃至請求項３のいずれか１項に記載の食事用具である。
【００２８】
請求項５の食事用具においては、前記連結部は前記作用部を着脱可能に保持することを特徴とする請求項１乃至請求項４のいずれか１項に記載の食事用具である。
【発明の効果】
【００２９】
請求項１の食事用具においては、柄部が折り曲げ容易な可撓性を有し、かつ曲げた状態を保持可能な線状材料よりなるため、前記柄部を簡便に曲げ加工でき、食事用具の把持を支援できる。
同じく、前記柄部を曲げ加工できることにより、作用部の向きの角度を調節できるため、食事用具の作用部の向きの調節を支援できる。
【００３０】
前記柄部が一本の部材からなり、前記柄部の端部又は中途部を前記連結部に保持してループを形成していることは、ループで囲まれる部分の狭さや広さによって、身体との接触範囲を調節できるため、使用者にあった固定性と操作性のバランスをとりやすい。
【００３１】
同じく、前記柄部がループを形成していることは、身体との接触範囲を広くとりうる構造でありながら、軽量であり、筋力の弱い人や疲労しやすい人にも扱いやすい。
【００３２】
同じく、前記柄部がループを形成していることは、身体への接触部位を、ループで囲まれる面にできるため、柄部の転がりが防止される等、安定性にすぐれ、把持するときの位置や方向もわかりやすい。
【００３３】
同じく、前記柄部がループを形成していることは、使用方法として、ループの内側に手を挿し通し、食事用具の落下を防ぐことが可能である。
【００３４】
同じく、前記柄部がループを形成していることは、ループを折り曲げ、２本の並行する棒状に近い形状が可能であり、長年、箸を使用していた人にとってなじみやすい柄部形状である。
【００３５】
同じく、前記柄部がループを形成していることは、柄部を変形する作業において、容易にねじれた形状に変形できる等、短時間で簡便な作業が可能となるため、使用者、支援者双方の負担を軽減できる。これは、日常の食事用具使用場面においても、必要時に身近な支援者による調節を行いやすくなるため、状態変化のある使用者にも対応が可能であり、利便性が高い。
【００３６】
請求項２の食事用具においては、前記柄部が前記線状材料の一部又は全部の周囲を、弾性を有する被覆材料で被覆した表面を形成することにより、把持したときのフィット感を高め、安定して食事用具を把持できる。
【００３７】
同じく、前記柄部が前記線状材料の一部又は全部の周囲を、弾性を有する被覆材料で被覆した表面を形成することにより、前記柄部を連結部に保持する際、安定して保持できる。
【００３８】
請求項３の食事用具においては、前記柄部の表面の一部又は全部に凹凸状部を設けたことにより、すべりどめとして機能させることができ、食事用具を把持したときに手がすべりにくく、安定して把持できる。
【００３９】
同じく、前記柄部の表面の一部又は全部に凹凸状部を設けたことは、すべりどめとして機能させることができ、前記柄部を変形して前記柄部同士が接する部分が生じた場合、すべりにくいため、変形した前記柄部の形状を保持しやすくなる。
【００４０】
同じく、前記柄部の表面の一部又は全部に凹凸状部を設けたことは、すべりどめとして機能させることができ、前記柄部を連結部に安定して保持できる。
【００４１】
同じく、前記柄部の表面の一部または全部に凹凸状部を設けたことは、すべりどめとして機能させることができ、前記柄部に他のグリップ材料をとりつける場合、すべりにくいため、安定して固定できる。
【００４２】
請求項４の食事用具においては、前記連結部は前記柄部を着脱可能に保持することにより、柄部の変形が容易となる。
【００４３】
同じく、前記連結部は前記柄部を着脱可能に保持することにより、柄部の変形作業中に生じる前記被覆材料の捩れを解消でき、変形が容易となる。
【００４４】
同じく、前記連結部は前記柄部を着脱可能に保持することにより、前記柄部のループの長さを使用者にあわせて調節可能にすることができる。
【００４５】
請求項５の食事用具においては、前記連結部は前記作用部を着脱可能に保持するため、前記柄部を用いた食事用具において、前記作用部との組み合わせを変更することが可能であり、多様な食事用具の形成が可能となる。
【図面の簡単な説明】
【００４６】
【図１】本発明による実施例１の形態を示す平面図である。
【図２】図１Ａ−Ａ線における矢視断面図である。
【図３】図１Ｂ−Ｂ線における矢視断面図である。
【図４】同実施例の変形例を示す平面図である。
【図５】同実施例の変形例および利用時形態を示す斜視図である。
【図６】同実施例の変形例および利用時形態を示す斜視図である。
【図７】同実施例の変形例および応用例を示す斜視図である。
【図８】本発明による実施例２の形態を示す平面図である。
【図９】図８Ｃ−Ｃ線における矢視断面図である。
【図１０】同実施例におけるキャップの説明図である。
【図１１】同実施例における、柄部の一方の端部を連結部に着脱する過程を示す斜視図である。
【図１２】同実施例における、柄部の一方の端部を連結部に着脱する過程を示す斜視図である。
【図１３】同実施例における、柄部の一方の端部を連結部に着脱する過程を示す斜視図である。
【図１４】同実施例における、柄部の一方の端部を連結部に着脱する過程を示す斜視図である。
【図１５】同実施例の変形例を示す斜視図である。
【図１６】同実施例の利用時形態を示す斜視図である。
【図１７】同実施例の利用時形態を示す斜視図である。
【図１８】本発明による実施例３の形態を示す斜視図である。
【図１９】同実施例における、柄部の一方の端部および作用部を連結部から外した状態を示す斜視図である。
【図２０】本発明による実施例４の形態を示す平面図である。
【図２１】図２０Ｄ−Ｄ線における矢視断面図である。
【図２２】同実施例の加工例を示す斜視図である。
【図２３】同実施例の加工例の利用時形態を示す斜視図である。
【図２４】三面把握の参考図である。
【図２５】握力把握の参考図である。
【発明を実施するための形態】
【００４７】
本発明の実施の形態を図で説明する。
【実施例１】
【００４８】
本発明の第１の実施例の形態を図１〜図３により説明する。図１は、本発明の実施の形態をスプーンに適用した例を示す平面図、図２は、図１Ａ−Ａ線における矢視断面図、図３は、図１Ｂ−Ｂ線における矢視断面図である。
【００４９】
図１において、食事用具１は、頭部４０に首部３０が連接され、その首部３０に連結部２０が連接され、その連結部２０に柄部１０がループ状をなして連接されている。本実施例において、符号４０で示される頭部および符号３０で示される首部３０は、便宜上設けたものであり、概念としては、符号４０と符号３０が作用部を構成している。
【００５０】
連結部２０と首部３０とは、連結部２０の首部保持部２１に首部３０の柄部側端３１を挿入して固定している。連結部２０と柄部１０とは、連結部２０の柄部保持部２２、２３に柄部１０の端部１００、１０１を挿入して固定している。連結部２０のＡ−Ａ矢視断面図は図２に示すとおりである。
【００５１】
なお、連結部２０の形状および構造については上記に限らない。連結部２０が柄部１０を保持する方法が他の方法でもよいし、着脱可能でもよく、保持する位置が柄部１０の中途部でもかまわない。連結部２０が首部３０を保持する方法が他の方法でもよく、着脱可能でもかまわない。
【００５２】
柄部１０のＢ−Ｂ矢視断面図は、図３に示すように、折り曲げ容易な可撓性を有し、かつ曲げた状態を保持可能な線状材料１１の周囲を、弾性を有する被覆材料１２で被覆して形成され、その断面形状は、線条材料１１はほぼ正円形、被覆材料１２はほぼ正円形をなしている。前記断面形状については、この他に、多角形や円形等、特に限定しない。
【００５３】
また、柄部１０の被覆材料１２の表面には、小さな凸状部１３を間隔をおいて全体に設け、すべりどめとした。凸状部の他、凹状部としてもよいし、例えば、凸状部と凹状部を波状に連続して設ける等、凹凸状部の形状や範囲は限定しない。また、凸状部および凹状部なしとしてもよい。
【００５４】
頭部４０および首部３０の形状については特に限定しない。頭部４０がフォークやナイフでもよく、スプーンの形状が図１に例示した形状と異なっていてもよい。首部３０が曲がっている等、図１に例示した形状と異なっていてもよい。
【００５５】
素材について、本例では、柄部１０の線条材料１１はチタンとした。チタンの他には、チタン合金、ステンレス、ニッケル合金、アルミニウム、アルミ合金等、可橈性を有し、比較的軽量で、折れにくいタイプの使用が望ましい。
柄部１０の線条材料１１を覆う被覆材料１２はシリコンとした。シリコンの他、エラストマー樹脂等、弾性があり、強度が充分なタイプの使用が望ましい。
【００５６】
頭部４０、首部３０の素材はチタン、連結部２０の素材はポリプロピレン樹脂としたが、前記の他、チタン合金、ステンレス、ニッケル合金、アルミニウム、アルミ合金等の金属材料、シリコン等の樹脂材料等、強度が十分で、比較的軽量のものが望ましい。
【００５７】
サイズは、柄部１０の線条材料１１は直径２ｍｍ〜４ｍｍ程度、柄部１０の被覆材料１２の直径は５ｍｍ〜１０ｍｍ程度、ループ状の柄部１０の長さ、すなわち柄部１０のうち連結部２０に保持されていない部分を示す一方の境界１１０からもう一方の境界１１１までの長さである符号１１０―１１１は３０ｃｍ〜６５ｃｍ程度が望ましいが、この例に限定するものではない。
【００５８】
連結部２０のサイズは、幅１５ｍｍ〜３０ｍｍ程度、長さ２０ｍｍ〜４０ｍｍ程度、厚さ７ｍｍ〜２０ｍｍ程度が望ましいが、この例に限定するものではない。連結部２０のサイズは、柄部１０および首部３０を保持でき、食事使用中に邪魔にならない程度のサイズであることが望ましい。
頭部４０および首部３０のサイズは特に限定しない。本例では、頭部４０は、長さ３ｃｍ〜６ｃｍ程度、幅２ｃｍ〜３ｃｍ５ｍｍ程度、首部３０は、長さ１ｃｍ〜５ｃｍ程度、幅３ｍｍ〜２ｃｍ５ｍｍ程度、厚さ１ｍｍ〜５ｍｍ程度としたが、この例に限定するものではない。
【００５９】
以上の構造よりなる本発明による食事用具は、柄部１０がループ状であり、前記柄部１０は、折り曲げ容易な可撓性を有し、かつ曲げた状態を保持可能な線状材料１１よりなるため、自由に変形可能であると同時に、変形した形状を安定して保持しやすい。変形の作業も簡便である。柄部１０の被覆材料１２は弾性をもち、凸状部１３によりすべりどめ機能を有し、安定して把持しやすい。
【００６０】
次に、実施例１の使用例を、図４〜図７により説明する。なお、図４〜図７は、実施例１において、柄部１０のループの長さ、すなわち符号１１０―１１１を３５ｃｍ程度とした例を示している。
【００６１】
図４は、実施例１における変形例を示したものである。柄部１０をなすループの概ね中点１０２を折り曲げ、向かい合う２辺、すなわち符号１１０―１０２の一辺と１１１―１０２の一辺が概ね接するように変形している。
【００６２】
前記の柄部１０の変形形状は、一般の食事用具の柄部に近い扁平で細長い形状でありながら、弾性を有する被覆材料１２により、手にフィットしやすく、安定して把持できる。また、柄部１０の表面の凸状部１３により、把持したとき手がすべりにくい。
そのため、図４の例は、一般の食事用具ではすべりやすいと感じる人など、軽度の困難を補うことができる。また、非障害者にも違和感なく使用できる形状である。
【００６３】
図５は、実施例１における変形例および利用形態を示したものである。柄部１０をなすループの概ね中点１０２を折り曲げ、向かい合う２辺、すなわち符号１１０−１０２の一辺と１１１−１０２の一辺との間隔１０３をやや開き、また、人差し指付け根付近の接触部１２０、１２１、および中指の接触部１２２、および親指の接触部１２３、１２４、および人差し指末端の接触部１２５、薬指の接触部１２６を，手の形に沿うように曲げて変形している。
【００６４】
ループで形成されるやや幅広の柄部１０の形状は、把持するときの位置や方向がわかりやすく、柄部１０が転がることもなく、安定して把持が可能である。
前記図４の例が困難となった人であっても、図５の例では、柄部１０と手との接触範囲をやや広げた形状により、三面把握の手の型のままで安定した把持が可能となり、操作方法も大きく変更することなく、食事動作ができる。
【００６５】
また、柄部１０と手との接触部１２０〜１２６は、箸を把持する際の接触部と概ね同じであり、図５の例の柄部１０の形状は、長年、箸を使いなれた人にはなじみやすい感触の形状である。認知症等、新しい食事用具や操作方法で混乱が増す場合にも、図５の例は受け入れられる可能性があり、有用である。
【００６６】
図６は、実施例１における変形例および利用形態を示したものである。変形は、柄部１０をなすループの概ね中点１０２を折り曲げ、向かい合う２辺、すなわち符号１１０−１０２の一辺と１１１−１０２の一辺の間隔１０３を手指が挿し通せる程度とし、頭部４０の向きの角度調節部１２７をひねりながら曲げて変形している。
【００６７】
柄部１０のループの内側に手指を挿し通す形状により、スプーンの落下を防ぎながら把持が可能である。
また、変形の作業は簡便に可能であり、特に、ループ状の柄部１０は捻りながら曲げることが容易であるため、角度調節部１２７の微調節も容易である。そのため、食事用具の作用部の向きの調節を簡便に支援できる。これは、状態変化のある使用者の場合であっても、必要時に身近な支援者による調節を行いやすくなるため、利便性が高い。
【００６８】
図７は、図６の応用例を示している。柄部１０に着脱可能なボール状のグリップ１４を取り付け、握りこみ部分を太くした例である。柄部１０の表面の凸状部１３がすべりどめとなるため、グリップ１４を固定しやすい。このように、本実施例の食事用具を、他のグリップ材料と併用することで、さらに使用の幅を広げることができる。
【実施例２】
【００６９】
本発明の第２の実施例の形態を図８〜図１４により説明する。なお、実施例２は、実施例１とは連結部の構造が異なる例である。本実施例においては、実施例１と同一の構成要素には同一符号を付して、その構成の説明は省略する。
【００７０】
図８は、本発明の実施の形態をスプーンに適用した例を示す平面図、図９は、図８Ｃ−Ｃ線における矢視断面図、図１０はキャップの説明図、図１１〜図１４は、柄部の一方の端部を連結部に着脱する過程を示す斜視図である。
【００７１】
図８において、食事用具２は、頭部４０に首部３０が連接され、その首部３０に連結部２００が連接され、その連結部２００に柄部１０がループ状をなして連接されている。なお、連結部２００は、後述するように、ストッパー２１０およびキャップ２２０および本体２３０およびカバー２４０よりなる。
【００７２】
連結部２００が首部３０を保持する方法は、図８，１２に示すように、連結部２００の本体２３０の首部保持部２３１に首部３０の柄部側端３１を挿入して固定している。
【００７３】
連結部２００が柄部１０を保持する方法について、図８，１１、１２に示すように、連結部２００の本体２３０の柄部保持部２３２に、柄部１０の一方の端部１００を挿入して固定している。
【００７４】
柄部のもう一方の端部１０１は、連結部２００に着脱可能に保持されており、その保持方法を説明すると、まず、図１１に示すように、柄部端部１０１を、連結部２００のキャップ２２０の柄部側端２２１より首部側端２２２に挿し通し、次に連結部２００のストッパー２１０の柄部側端２１１より穴底２１２まで柄部端部１０１を挿入する。
【００７５】
次に、柄部端部１０１を挿入したストッパー２１０を、図９、１２に示すように、キャップ２２０内の段部２２３まで押し込み、固定する。
図９に示すように、キャップ２２０の内径２２４は、首部側端２２２から段部２２３に近づくにつれ、狭くなっている。また、図１０に示すように、ストッパー２１０には切り込み部２１４が設けられ、ストッパー２１０の柄部側端２１１は、切り込み部２１４が狭まるように撓むことができる。
柄部端部１０１を挿入したストッパー２１０をキャップ２２０内に押し込むと、キャップ内径２２４が狭まるにつれて、ストッパー内径２１５が狭まり、同時にストッパー２１０の凸部２１３が、柄部１０に押しつけられる。柄部１０の表面は被覆材料１２により弾性があり、凸状部１３もあるため、すべりどめとなり、柄部端部１０１はストッパー２１０およびキャップ２２０内に安定して保持される。その外観は図１２に示すとおりである。
【００７６】
次に、前記の柄部端部１０１およびストッパー２１０を押し込んだキャップ２２０を、連結部２００の本体２３０の凸部２３３にキャップ２２０の凹部２２５が嵌るように取り付ける。その様子の外観は図１３に示すとおりである。
【００７７】
次に、連結部２００のカバー２４０を、上述したキャップ２２０を取り付けた本体２３０に、本体２３０の溝２３４とカバー２４０の凸部２４１が嵌るようにして挿入し、本体２３０の微小凸部２３５が、カバー２４０の微小凹部２４２に嵌るようにして固定する。その様子の外観は図１４に示すとおりである。
【００７８】
カバー２４０を本体２３０に固定することにより、柄部端部１０１を挿入したストッパー２１０およびキャップ２２０も外れないように固定でき、柄部端部１０１は、食事使用中や柄部１０の変形作業中、様々な方向から力が加わっても連結部２００から外れないように保持できる。また、柄部端部１０１を連結部２００から外す方法は、前記保持方法と逆の順に行えばよい。
【００７９】
柄部端部１０１を連結部２００から外した状態においては、柄部１０をペンチ等で切断して短く調節することもでき、再度、柄部１０と連結部２００を前記保持方法で固定することにより、使用可能となる。
【００８０】
なお、連結部２００の構造および形状については、前記に限らない。連結部２００と柄部１０の端部１００，１０１の両方が着脱可能あるいは着脱不可能でもよく、保持する位置が柄部１０の中途部でもかまわない。保持する方法が他の方法でもかまわない。また、連結部２００と首部３０が着脱可能でもよく、保持する方法が、他の方法でもかまわない。柄部１０の長さの調節方法が他の方法でもよく、長さ調節不可能でもかまわない。ただし、食事使用中は連結部２００が柄部１０および首部３０を保持し、柄部１０がループ状をなすものとする。
【００８１】
素材について、連結部２００の素材はポリプロピレン樹脂とした。ポリプロピレン樹脂の他、シリコン等の樹脂材料、チタン、チタン合金、ステンレス、ニッケル合金、アルミニウム、アルミ合金等の金属材料等、強度が十分で、比較的軽量のものが望ましい。
【００８２】
サイズは、連結部２００は、幅１５ｍｍ〜３０ｍｍ程度、長さ２０〜４０ｍｍ程度、厚さ７〜２５ｍｍ程度が望ましいが、この例に限定するものではない。連結部２００のサイズは、柄部１０および首部３０を保持でき、食事使用中に邪魔にならない程度のサイズであることが望ましい。
【００８３】
以上の構造よりなる本発明による食事用具は、柄部１０の一方の端部１０１が連結部２００に着脱可能に保持されるため、柄部端部１０１を外せば、複雑な変形を行いやすく、また、曲げ加工中に生じる被覆材料１２の捩れも解消できる。また、柄部１０を切断して再度連結部２００に柄部端部１０１を保持可能なため、柄部１０のループの長さ、すなわち符号１１０−１１１を、使用者に適した長さに調節することができる。  
【００８４】
次に、実施例２の使用例を図１５〜図１７により、説明する。なお、図１５〜図１７は、実施例２において、柄部１０のループの長さ、すなわち符号１１０―１１１を６５ｃｍ程度とした例を示している。
【００８５】
図１５は、実施例２における変形例であり、図１６は、図１５の利用形態である。柄部１０の変形は、手掌内に握りこむ部分を小ループ２個、すなわち符号１３０、１３１で形成したことにより、立体的な握り部とすることができ、握り具合や親指の位置にあわせて形を調節しやすい。
【００８６】
また、人差し指付け根付近の接触部１３２、１３３が手の形に沿うよう変形しており、さらに、間隔１３４を広くしたことで、身体への接触範囲を広くとった柄部形状が可能である。
【００８７】
また、柄部１０の表面に設けられた凸状部１３により、手はすべりにくく、柄部１０同士の接触部もすべりにくいため、変形した柄部１０の形状も保持されやすくなり、安定した把持が可能である。
【００８８】
また、角度調節部１３５を捻りながら曲げることで、頭部４０の向きの角度を変更可能であり、食事用具の作用部の向きの調節を支援できる。簡便に柄部１０の変形が行えるため、使用者に状態変化がある場合でも、身近な支援者により、調節が可能である。
【００８９】
図１５、１６の例では、身体への接触範囲を広くとった構造でありながら、軽量であり、また、変形した柄部１０の形状を崩すことなく、装着や取り外しができる。装着時に身体にフィットさせる微調整が必要になった場合も、作業は簡便に可能である。
【００９０】
図１７は実施例２における変形例および利用形態を示したものである。柄部１０の変形は、ループ２か所、すなわち符号１３６、１３７を作り、手指を挿し通す空間としている。
二つのループ１３６，１３７の間隔１３８を広くとることにより、前記実施例１における図６の例に比べて、図１７の例は固定性に優れ、手指が曲がりにくい等、握ることが困難な人にも適する。また、角度調節部１３９を捻りながら曲げており、食事用具の作用部の向きの調節も支援できる。
【００９１】
このように、図１６，１７に示した例は、柄部１０が長めであることを生かし、食事用具の身体への固定性を優先した形状が可能であるため、比較的障害が重度な人に有用である。また、柄部１０を複雑な形状に変形する作業において、柄部端部１０１が着脱可能になっていることは、形状を整えやすく、また、被覆材料１２の捻じれを解消できるため、変形作業が容易である。
【００９２】
また、柄部１０の長さ、すなわち符号１１０−１１１の調整ができることは、使用者の手の大きさや利用形態にあわせて短く調節することもでき、本実施例は、子どもや大人、障害の状況等を限定せず、幅広く利用が可能である。
【実施例３】
【００９３】
本発明の第３の実施例の形態を図１８，１９により説明する。なお、図１８は、本発明の実施例３の形態をスプーンに適用した例を示す斜視図であり、図１９は、柄部の一方の端部および作用部を連結部から外した状態を示す斜視図である。
【００９４】
図１８において、食事用具３は、頭部４００に首部３００が連接され、その首部３００に連結部５００が連接され、その連結部５００に柄部１０がループ状をなして連接されている。なお、本実施例において、符号４００で示される頭部および符号３００で示される首部は、便宜上設けたものであり、概念としては、符号４００と符号３００が作用部を構成している。また、本実施例においては、実施例１と同一の構成要素には同一符号を付して、その構成の説明は省略する。
【００９５】
図１８，１９において、連結部５００は、クリップ状の上部５１０および下部５３０を、本体５２０の嵌め込み部５０１に連結してなり、上部５１０のつまみ５１３と下部５３０のつまみ５３３の間には、ばね５０２を取り付けている。上部５１０の首部保持部５１１と、本体５２０の首部保持部５２１の間の挟み込み部分、および本体５２０の凹部５２２と下部５３０の凹部５３２の間の挟み込み部分は、ばね５０２の力によって閉じており、つまみ５１３、５３３を近づけるように力を加えると、開くようになっている。
【００９６】
連結部５００の凹部５２２、５３２の間には、ループ状をなす柄部１０の一方の端部１０１又は中途部１１２を嵌め込んで挟み、着脱可能に保持することができる。柄部１０は弾性のある被覆材料１２で覆われており、凸状部１３もすべりどめとして機能するため、柄部１０を連結部５００の凹部５２２，５３２の間に挟んで保持した際、柄部１０は安定して保持される。なお、符号１１２で示される中途部は、その箇所を例示するものであり、図示される箇所に限定するものではない。
【００９７】
また、柄部のもう一方の端部１００は、連結部５００の本体５２０の柄部保持部５２３に挿入して固定されている。
【００９８】
また、着脱可能な柄部端部１０１が身体に触れてけがをしないように、柄部端部１０１には保護キャップ５０３を取り付けている。
柄部１０のうち、端部１０１から連結部５００に保持される柄部１０の中途部１１２までの部分が長い場合は、連結部５００付近に小さく丸める等、使用中に邪魔にならないようにするか、または、ペンチ等で切断し、切断してできた柄部端部１０１に保護キャップ５０３を装着して使用してもよい。
【００９９】
また、連結部５００が柄部１０を保持する方法は、前記に限らず、他の方法でもかまわない。柄部端部１００、１０１の両方が着脱可能あるいは着脱不可能でもよく、柄部１０を保持する位置が中途部でもかまわない。
【０１００】
連結部５００の首部保持部５１１、５２１は、表面に凹凸をつけたすべりどめ機能をもち、首部保持部５１１、５２１の間に、首部３００の柄部側端３０１または中途部３０２を挟んで保持し、着脱可能に保持することができる。なお、符号３０２で示される中途部は、その箇所を例示するものであり、図示される箇所に限定するものではない。
【０１０１】
連結部５００が首部３００を着脱可能に保持する方法は前記に限らず、他の方法でもよいし、着脱不可能でもかまわない。連結部５００の構造および形状も本例に限定するものではない。
【０１０２】
連結部５００について、素材はポリプロピレン樹脂を主体とし、首部保持部５１１，５２１はエラストマー樹脂、ばね５０２にはステンレスを用いている。連結部５００の素材は前記の他、シリコン等の樹脂材料、チタン、チタン合金、ステンレス、ニッケル合金、アルミニウム、アルミ合金等の金属材料等、強度が十分で、比較的軽量のものが望ましい。
連結部５００のサイズは、幅２５ｍｍ〜４０ｍｍ程度、長さ２５ｍｍ〜４０ｍｍ程度、厚さ１５〜３０ｍｍ程度が望ましいが、この例に限定するものではない。
【０１０３】
保護キャップ５０３について、素材はシリコンを用いている。この他、エラストマー樹脂等、弾性があり、強度が充分なものが望ましい。
保護キャップ５０３のサイズは長さ２ｃｍ〜５ｃｍ程度、内径５ｍｍ〜１０ｍｍ程度が望ましいが、この例に限定するものではない。食事等の使用中に、柄部端部１０１から保護キャップ５０３が外れない程度のサイズであることが必要である。
【０１０４】
連結部５００に保持する首部３００およびその首部に連接する頭部４００については、スプーンやフォーク等の食事用具であればよく、形状、素材、サイズ等、特に限定しない。
頭部４００の形状がフォークやナイフでもよいし、スプーンの形状が図１８，１９に例示した形状と異なっていてもかまわない。首部３００の形状が曲がっている等、図１８，１９に例示した形状と異なっていてもかまわない。
【０１０５】
首部３００および頭部４００の素材は、本例ではチタンとしたが、樹脂材料、金属材料等、特に限定しない。サイズは、本例では、頭部４００は、長さ３ｃｍ〜６ｃｍ程度、幅２ｃｍ〜３ｃｍ５ｍｍ程度、首部３００は、長さ５ｃｍ〜１２ｃｍ程度、幅３ｍｍ〜２ｃｍ５ｍｍ程度、厚さ１ｍｍ〜５ｍｍ程度としたが、この例に限定するものではない。
【０１０６】
以上の構造よりなる実施例３の食事用具は、連結部５００が柄部の一方の端部１０１又は中途部１１２を着脱可能に保持することにより、柄部１０を切断することなく、柄部の長さ、すなわち符号１１０−１１１を調節可能であり、柄部１０を着脱する方法も非常に簡単である。そのため、柄部１０の変形の自由度は、実施例２よりもさらに高くなり、変形の作業もより簡便になる。
【０１０７】
また、連結部５００が首部３００を着脱可能に保持することにより、首部３００およびその首部に連接する頭部４００、すなわち作用部の形状やサイズ、素材を異なるものに簡便に交換可能である。
【０１０８】
実施例３の用途としては、医療・福祉等の分野において、個人に適した食事用具の概要を捉えるための評価用として有用である。特に、簡便に柄部１０の変形の作業を行うことができ、作用部すなわち首部３００およびその首部３００に連接する頭部４００の交換も可能であるため、使用者の意向や状態を確認しながら、短時間で適した食事用具のモデルができることとなる。
【０１０９】
変形させた食事用具のモデルをもとにすることで、本発明による食事用具に限らず、数多く存在する市販の食事用具からの選択を行いやすくなる。また、市販の食事用具に適するものがなく、個別に加工して食事用具を作成する場合にも、前記の変形させた食事用具のモデルをみて作成することができ、使用者、作成者の負担を大幅に軽減できる。
【０１１０】
このような活用方法は、直接には、食事用具についての相談を受ける立場にある医療・福祉職、販売店等に関わりが深いものであるが、使用者がより良い情報を得て食事用具を決定できることにつながるため、有意義である。
【実施例４】
【０１１１】
本発明の第４の実施例の形態を説明する。
図２０は、本発明の実施の形態をフォークに適用した例を示す平面図である。図２０において、食事用具４は、頭部４１に首部３０が連接され、その首部３０に連結部６００が連接され、その連結部６００に柄部７００がループ状をなして連接されている。なお、本実施例において、符号４１で示される頭部および符号３０で示される首部３０は、便宜上設けたものであり、概念としては、符号４１と符号３０が作用部を構成している。
【０１１２】
柄部７００は１本の線状材料７０３よりなり、柄部７００の端部７０１、７０２を連結部６００に固定してループを形成している。
なお、連結部６００の構造および形状については、本実施例に限らない。連結部６００が柄部７００を保持する方法が本例と異なる方法でもよく、柄部端部７０１、７０２の一方あるいは両方が着脱可能でもよく、保持する位置が柄部７００の中途部でもかまわない。連結部６００が首部３０を保持する方法が本例と異なる方法でもよく、着脱可能でもかまわない。
【０１１３】
柄部７００のＤ−Ｄ矢視断面図は、図２１に示すように、ほぼ正円形をなしているが、この他に、多角形や円形等、特に限定しない。
【０１１４】
また、柄部７００の線状材料７０３の表面は、凹状部７０４を螺旋状に全体に設け、すべりどめとした。この他、凸状部としてもよいし、凹状部および凸状部なしとしてもよく、凹凸状部の形状や範囲は限定しない。
【０１１５】
頭部４１および首部３０の構造および形状については特に限定しない。頭部４１がスプーンやナイフでもよく、フォークの形状が図２０に例示した形状と異なっていてもかまわない。首部３０が曲がっている等、図２０に例示した形状と異なっていてもかまわない。
【０１１６】
素材について、この例では、柄部７００の線条材料７０３をチタンとした他、連結部６００および首部３０および頭部４１いずれもチタンとした。
線状材料７０３は、チタンの他には、チタン合金、ステンレス、ニッケル合金、アルミニウム、アルミ合金等、可橈性を有し、比較的軽量で、折れにくいタイプの使用が望ましい。
連結部６００および首部３０および頭部４１の素材は、チタンの他、チタン合金、ステンレス、ニッケル合金、アルミニウム、アルミ合金等の金属材料、シリコン、ポリプロピレン樹脂等の樹脂材料等、強度が十分で、比較的軽量のものが望ましい。
【０１１７】
サイズは、柄部７００の線状材料７０３の直径２ｍｍ〜６ｍｍ程度、ループ状の柄部７００の長さ、すなわち符号７０１−７０２は３０ｃｍ〜６５ｃｍ程度が望ましいが、この例に限定するものではない。連結部６００の長さは２０ｍｍ〜３０mm程度、幅８mm〜１５mm程度が望ましいが、この例に限定するものではない。頭部４１、首部３０のサイズは、特に限定しない。本例では、頭部４１は、長さ３ｃｍ〜６ｃｍ程度、幅２ｃｍ〜３ｃｍ５ｍｍ程度、首部３０は、長さ１ｃｍ〜５ｃｍ程度、幅３ｍｍ〜２ｃｍ５ｍｍ程度、厚さ１ｍｍ〜５ｍｍ程度としたが、この例に限定するものではない。
【０１１８】
以上の構造よりなる本発明による食事用具４は、柄部７００がループ状であり、前記柄部７００は折り曲げ容易な可撓性を有し、かつ曲げた状態を保持可能な線状材料７０３よりなるため、柄部７００は自由度の高い変形が可能であり、変形の作業も簡便である。また、柄部７００の表面は凹状部７０４があるため、すべりにくい。
【０１１９】
本実施例の用途としては、食事用具を個別に加工する場合の材料として有用である。柄部７００を変形させるとともに、他のグリップ材料を組み合わせることにより、個人に適した柄部を作成することができる。
【０１２０】
組み合わせるグリップ材料は、着脱可能な、例えば、巻きつけたり、挟み込むタイプのスポンジ状のグリップを用いることもできる。また、変形した柄部７００の形状を固定するようなグリップ材料、例えば熱可塑性樹脂や石塑粘土で覆って使用することもでき、その場合、直線状の柄部に比べ、変形させた柄部７００は、グリップ材料がずれにくいという利点がある。
【０１２１】
また、柄部７００の表面に凹状部７０４があり、すべりどめとなるため、組み合わせるグリップ材料を固定しやすくなる。本実施例を用いることで、食事用具を個人にあわせて加工することが容易となる。
【０１２２】
次に、実施例４の使用例を、図２２、２３により説明する。図２２は本実施例による食事用具４を加工して食事用具５を作成した例であり、図２３は図２２の利用形態である。
【０１２３】
図２２において、食事用具５は、頭部４１に首部３０が連接され、その首部３０に連結部６００が連接され、その連結部６００に柄部７１０が連接されている。
【０１２４】
食事用具５の作成は、まず、食事用具４の柄部７００の線状材料７０３を変形し、使用者に合う形状の食事用具５の骨組みとなるように変形しておく。本例では、手掌内に握りこむ部分を小ループ７０６で形成し、人差し指付け根付近の接触部７０７，７０８を手に沿うような形状とし、頭部４１の向きの角度調節部７０９を捻りながら曲げて変形している。
【０１２５】
次に、変形した線状材料７０３のうち、角度調節部７０９の一部を除いて、グリップ材料７０５で覆い、使用者が把持する手の形に沿うように成形して、食事用具５の柄部７１０の形状を整えている。
【０１２６】
本例のグリップ材料７０５の素材は、市販の熱可塑性樹脂とした。熱可塑性樹脂は、現状の医療・福祉等の現場で手軽に入手、使用できる素材であるため、本例で用いたが、食器乾燥機使用等ができない欠点がある。使用者、作成する支援者の状況に応じて、適切な素材を使用すればよく、本例に限定するものではない。
【０１２７】
このようにして作成した食事用具５は、把持する手の型は三面把握と同様でありながら、柄部７１０と手の接触面は概ね最大限に設けられており、安定して把持できる。また、前記実施例２における図１６の例に比べ、柄部７１０の大部分が固定されていることによって、握りこむ力が非常に強い人にも適する食事用具となっている。さらに、角度調節部７０９の一部はグリップ材料７０５で覆っていないため、使用状況に応じて、頭部４１の向きの角度の微調節が可能である。
【０１２８】
加工について、一般の細長い棒状の柄部の食事用具を材料として加工する場合に比べ、食事用具４を材料として加工する本例では、ループ状の柄部７００の線状材料７０３の変形の自由度が高く、作業が簡便であるため、使用者にあわせた基本的な骨組みを短時間で作ることが可能であり、その骨組みがあることにより、グリップ材料７０５をつけて食事用具５の柄部７１０の形状に成形することが容易である。
【０１２９】
グリップ材料７０５をつける際は、変形した食事用具４の柄部７００の線状材料７０３および凹状部７０４によって、グリップ材料７０５を付着させやすいため、加工の作業は容易である。
また、グリップ材料７０５をつける範囲や素材等の工夫により、食事用具の微調整が後からでも可能なように作成することもできる。
【０１３０】
これは、食事用具を個別に加工して作成する場合にかかる労力や時間を大幅に軽減することになり、市販品では対応が困難な障害者であっても、適した食事用具を得ることが容易となるため、有意義である。
【０１３１】
以上、実施例１〜４においては、使用者が主に障害者と想定した例を示したが、本発明は障害の有無に関わらず、使用が可能であり、前記実施形態に限らない。例えば、曲げた柄部を食器の縁に掛けて、料理の中に食事用具の柄部が落下することを防ぐ等の生活を便利にする使用方法や、曲がる柄部の形状を活かしたデザイン的な使用を楽しむこともできる。本発明の趣旨を逸脱しない範囲で、使用者にあわせて自由に変形し、自由な使用方法が可能である。
【産業上の利用可能性】
【０１３２】
本発明による食事用具は、製造については食器産業、販売については食器販売や福祉用具販売の産業、食事用具の個人への適合評価や作成等については医療、福祉等の分野、利用については障害の有無に関わらず一般消費者で利用が見込まれる。
【符号の説明】
【０１３３】
１…食事用具、２…食事用具、３…食事用具、４…食事用具、５…食事用具、１０…柄部、１１…線状材料、１２…被覆材料、１３…凸状部、１４…グリップ、２０…連結部、２１…首部保持部、２２…柄部保持部、２３…柄部保持部、３０…首部、３１…柄部側端、４０…  頭部、４１…頭部、１００…端部、１０１…端部、１０２…中点、１０３…間隔、１１０…境界、１１１…境界、１１２…中途部、１２０…接触部、１２１…接触部、１２２…接触部、１２３…接触部、１２４…接触部、１２５…接触部、１２６…接触部、１２７…角度調節部、１３０…小ループ、１３１…小ループ、１３２…接触部、１３３…接触部、１３４…間隔、１３５…角度調節部、１３６…ループ、１３７…ループ、１３８…間隔、１３９…角度調節部、２００…連結部、２１０…ストッパー、２１１…柄部側端、２１２…穴底、２１３…凸部、２１４…切り込み部、２１５…内径、２２０…キャップ、２２１…柄部側端、２２２…首部側端、２２３…段部、２２４…内径、２２５…凹部、２３０…本体、２３１…首部保持部、２３２…柄部保持部、２３３…凸部、２３４…溝、２３５…微小凸部、２４０…カバー、２４１…凸部、２４２…微小凹部、３００…首部、３０１…柄部側端、３０２…中途部、４００…頭部、５００…連結部、５０１…嵌め込み部、５０２…ばね  、５０３…保護キャップ、５１０…上部、５１１…首部保持部、５１３…つまみ、５２０…本体、５２１…首部保持部、５２２…凹部、５２３…柄部保持部、５３０…下部、５３２…凹部、５３３…つまみ、６００…連結部、７００…柄部、７０１…端部、７０２…端部、７０３…線状材料、７０４…凹状部、７０５…グリップ材料、７０６…小ループ、７０７…接触部、７０８…接触部、７０９…角度調節部、７１０…柄部、８０１…中指DIP関節周辺の橈側面、８０２…示指基節の橈側面、８０３…母指の指腹、８０４…示指末端、８０５…柄部、８０６…手指、８０７…手掌、８０８…柄部
【図１】
2011194008.tif 000003
【図２】
2011194008.tif 000004
【図３】
2011194008.tif 000005
【図４】
2011194008.tif 000006
【図５】
2011194008.tif 000007
【図６】
2011194008.tif 000008
【図７】
2011194008.tif 000009
【図８】
2011194008.tif 000010
【図９】
2011194008.tif 000011
【図１０】
2011194008.tif 000012
【図１１】
2011194008.tif 000013
【図１２】
2011194008.tif 000014
【図１３】
2011194008.tif 000015
【図１４】
2011194008.tif 000016
【図１５】
2011194008.tif 000017
【図１６】
2011194008.tif 000018
【図１７】
2011194008.tif 000019
【図１８】
2011194008.tif 000020
【図１９】
2011194008.tif 000021
【図２０】
2011194008.tif 000022
【図２１】
2011194008.tif 000023
【図２２】
2011194008.tif 000024
【図２３】
2011194008.tif 000025
【図２４】
2011194008.tif 000026
【図２５】
2011194008.tif 000027
【手続補正書】
【提出日】平成22年8月25日(2010.8.25)
【手続補正１】
【補正対象書類名】特許請求の範囲
【補正対象項目名】請求項１
【補正方法】変更
【補正の内容】
【請求項１】
スプーン、フォーク等の食事用具で、掬い、突き刺し、切り分け等、食物に接して作用する作用部と、その作用部に連接する連結部と、その連結部に連接する柄部とからなる食事用具において、前記柄部は一本の部材からなり、前記柄部の両端部又は一端部と中途部を前記連結部に保持してループを形成し、前記柄部は折り曲げ容易な可撓性を有し、かつ曲げた状態を保持可能な線状材料よりなることを特徴とする食事用具。
【手続補正２】
【補正対象書類名】明細書
【補正対象項目名】００２４
【補正方法】変更
【補正の内容】
【００２４】
前述の課題を解決するために、次のような食事用具を発明した。
請求項１の食事用具においては、スプーン、フォーク等の食事用具で、掬い、突き刺し、切り分け等、食物に接して作用する作用部と、その作用部に連接する連結部と、その連結部に連接する柄部とからなる食事用具において、前記柄部は一本の部材からなり、前記柄部の両端部又は一端部と中途部を前記連結部に保持してループを形成し、前記柄部は折り曲げ容易な可撓性を有し、かつ曲げた状態を保持可能な線状材料よりなることを特徴とする食事用具である。
【手続補正３】
【補正対象書類名】明細書
【補正対象項目名】００３０
【補正方法】変更
【補正の内容】
【００３０】
前記柄部が一本の部材からなり、前記柄部の両端部又は一端部と中途部を前記連結部に保持してループを形成していることは、ループで囲まれる部分の狭さや広さによって、身体との接触範囲を調節できるため、使用者にあった固定性と操作性のバランスをとりやすい。